(57)【要約】【課題】横引き管に２つの水廻り器具を接続した際の横引き管内の空気の圧力上昇を抑えることが可能なサイホン排水システムを提供する。【解決手段】台所流し２０からの排水を横方向に排出する横引き管２６と、横引き管２６よりも下流側に配置され、横引き管２６からの排水を流下させることによりサイホン力を発生させる竪管２８管と、食洗機２２と横引き管２６の長手方向中間部とに接続され、食洗機２２からの排水を横引き管２６の長手方向中間部に流入させる配管４０と、配管４０に連通して設けられ配管４０内の正圧を緩衝する空気タンク４４と、を備える。【選択図】図１
2016216944.tif 000002
【特許請求の範囲】
【請求項１】
第１の水廻り器具からの排水を横方向に排出する横引き管と、
前記横引き管よりも下流側に配置され、前記横引き管からの前記排水を流下させることによりサイホン力を発生させる竪管と、
第２の水廻り器具と前記横引き管の長手方向中間部とに接続され、前記第２の水廻り器具からの排水を前記横引き管の長手方向中間部に流入させる排水部材と、
前記排水部材に連通して設けられ前記排水部材内の正圧を緩衝する正圧緩衝部と、
を備えるサイホン排水システム。
【請求項２】
前記横引き管の全長をＴ、前記横引き管の上流側の端部から前記排水部材と前記横引き管との合流部までの長さをｔ、前記排水部材と前記正圧緩衝部との合計の内部容積をＶとした場合に、下記（１）式を満足する請求項１に記載のサイホン排水システム。
Ｖ（リットル）≧１５（リットル）−１４（リットル）×ｔ／Ｔ・・・（１）
【請求項３】
前記正圧緩衝部には、空気の入る空間が形成されている、請求項１または請求項２に記載のサイホン排水システム。
【請求項４】
前記正圧緩衝部は、排水部材よりも内部容積が大きい空気タンクで構成されている、請求項３に記載のサイホン排水システム。
【請求項５】
前記正圧緩衝部は、管体で構成されている、請求項３に記載のサイホン排水システム。
【発明の詳細な説明】
【技術分野】
【０００１】
本発明は、サイホン排水システムに関する。
【背景技術】
【０００２】
近年、建物に設けられる従来の勾配排水システムに代わるものとして、所謂サイホン排水システムが提案されている（例えば、特許文献１参照）。サイホン排水システムでは、水廻り器具にサイホン排水管を接続し、サイホン排水管の垂下部をなす竪管にて発生するサイホン力（負圧力）を利用して、水廻り器具からの排水効率を向上させている。
【先行技術文献】
【特許文献】
【０００３】
【特許文献１】特開２００２−３０２９７７号公報
【発明の概要】
【発明が解決しようとする課題】
【０００４】
従来のサイホン排水システムでは、例えば、同一階に複数個の水廻り器具が設けられている場合、水廻り器具毎にサイホン排水管を接続しているため、サイホン排水管の本数が多くなる。
【０００５】
サイホン排水管の本数を少なくするために、例えば、１本のサイホン排水管の上流側の端部に第１の水廻り器具を接続し、該サイホン排水管の長手方向中間部に設けた合流部に第２の水廻り器具を接続する構成が考えられる。
【０００６】
上記構成では、第２の水廻り器具から排水を排出した際に、合流部から上流側の横引き管内の空気が第２の水廻り器具からの排水で押され、該横引き管内の空気の圧力が上昇する場合がある。このため、第１の水廻り器具に水封式の排水トラップが設けられている場合、横引き管内の空気の圧力がある限度を超えると排水トラップが破封することがある。
【０００７】
本発明は上記事実を考慮し、横引き管に複数の水廻り器具を接続したサイホン排水システムにおいて、横引き管内の空気の圧力上昇を抑えることを目的とする。
【課題を解決するための手段】
【０００８】
請求項１に記載のサイホン排水システムは、第１の水廻り器具からの排水を横方向に排出する横引き管と、前記横引き管よりも下流側に配置され、前記横引き管からの前記排水を流下させることによりサイホン力を発生させる竪管と、第２の水廻り器具と前記横引き管の長手方向中間部とに接続され、前記第２の水廻り器具からの排水を前記横引き管の長手方向中間部に流入させる排水部材と、前記排水部材に連通して設けられ前記排水部材内の正圧を緩衝する正圧緩衝部と、を備えている。
【０００９】
請求項１に記載のサイホン排水システムは、第１の水廻り器具からの排水が横引き管を介して竪管に流れ、竪管では、横引き管からの排水を流下させることによりサイホン力を発生させる。これにより、第１の水廻り器具からの排水を竪管の端部から効率的に排出することができる。
【００１０】
また、請求項１に記載のサイホン排水システムは、第２の水廻り器具からの排水が、排水部材を介して横引き管の中間部に流れ、排水部材との合流部よりも下流側の横引き管を介して竪管に流れる。竪管では、横引き管からの排水を流下させることによりサイホン力を発生させる。これにより、第２の水廻り器具からの排水を竪管の端部から効率的に排出することができる。
【００１１】
ところで、第１の水廻り器具の下流側に、一例として、封水式の排水トラップが設けられている場合、排水トラップの下流側の圧力が有る限度を超えると、排水トラップの封水が室内側に噴出して排水トラップが破封することがある。このため、排水トラップが破封しないように、排水トラップの下流側の圧力がある限度を超えないように下流側の圧力上昇を抑える必要がある。
【００１２】
請求項１に記載のサイホン排水システムでは、第２の水廻り器具から排水が排出されると、排水が排水部材の中の空気を押して排水部材の内部の空気の圧力が上昇するため、排水部材に接続される横引き管の圧力も上昇する。
【００１３】
しかしながら、排水部材には排水部材内の正圧を緩衝する正圧緩衝部が連通して設けられているため、第２の水廻り器具から排水が排出される際に、排水の排出により発生する空気の圧力が正圧緩衝部によって緩衝されて排水部材内の空気の圧力上昇が抑えられ、その結果、排水部材に連結される横引き管内の空気の圧力上昇も抑えられる。
なお、正圧緩衝部とは、第２の水廻り器具からの排水の排出による空気の圧力上昇を緩衝し、空気の圧力上昇を抑えるものである。正圧とは、サイホン排水システムの置かれている環境の外気の気圧よりも高い圧力のことである。また、水廻り器具とは、排水を排出する器具のことである。
【００１４】
請求項２に記載の発明は、請求項１に記載のサイホン排水システムにおいて、前記横引き管の全長をＴ、前記横引き管の上流側の端部から前記排水部材と前記横引き管との合流部までの長さをｔ、前記排水部材と前記正圧緩衝部との合計の内部容積をＶとした場合に、下記（１）式を満足する。
Ｖ（リットル）≧１５（リットル）−１４（リットル）×ｔ／Ｔ・・・（１）
【００１５】
請求項２に記載のサイホン排水システムでは、第２の水廻り器具と合流部との間の排水部材と正圧緩衝部との合計の内部容積をＶが（１）式を満足するように設定されているので、排水部材内の圧力上昇が効果的に抑えられ、その結果、排水部材に連結される横引き管の圧力上昇も効果的に抑えられる。
【００１６】
請求項３に記載の発明は、請求項１または請求項２に記載のサイホン排水システムにおいて、前記正圧緩衝部には、空気の入る空間が形成されている。
【００１７】
請求項３に記載のサイホン排水システムでは、正圧緩衝部に形成された空間内の空気が、排水の排出により発生する空気の圧力上昇を緩衝し、排水部材内の空気の圧力上昇が抑えられ、その結果、排水部材に連結される横引き管内の空気の圧力上昇も抑えられる。
【００１８】
請求項４に記載の発明は、請求項３に記載のサイホン排水システムにおいて、前記正圧緩衝部は、排水部材よりも内部容積が大きい空気タンクで構成されている。
【００１９】
請求項４に記載のサイホン排水システムでは、空気タンクの内部の空間に入っている空気で、排水の排出により発生する空気の圧力上昇を緩衝することができる。そのため、空気タンクにより排水部材内の圧力上昇が抑えられ、その結果、排水部材に連結される横引き管の圧力上昇も抑えられる。
【００２０】
請求項５に記載の発明は、請求項３に記載のサイホン排水システムにおいて、前記正圧緩衝部は、管体で構成されている。
【００２１】
請求項５に記載のサイホン排水システムでは、正圧緩衝部が、管体で構成されているため、管体の内部の空間に入っている空気で、排水の排出により発生する空気の圧力上昇を緩衝することができる。そのため、排水部材内の圧力上昇が抑えられ、排水部材に連結される横引き管の圧力上昇も抑えられる。
請求項５に記載のサイホン排水システムでは、正圧緩衝部を構成する管体として排水で一般に用いられる配管に用いることができ、正圧緩衝部の構造が簡単になる。
管体とは、内部に空間が形成された管状のものを意味しており、断面形状は円形に限らず、四角形等であっても良い。また、管体の長手方向の形状は、直線状に限らず、環状、渦巻き状、螺旋状等であっても良い。
【発明の効果】
【００２２】
以上説明したように本発明のサイホン排水システムでは、横引き管に複数の水廻り器具を接続した際の横引き管内の空気の圧力上昇を抑制できる、という優れた効果を有する。
【図面の簡単な説明】
【００２３】
【図１】本発明の第１の実施形態に係るサイホン排水システムを示す側面図である。
【図２】本発明の第２の実施形態に係るサイホン排水システムを示す側面図である。
【図３】（Ａ）は本発明の第３の実施形態に係るサイホン排水システムを示す側面図であり、（Ｂ）は本発明の第３の実施形態に係るサイホン排水システムに用いた排水管の平面図である。
【図４】本発明の第４の実施形態に係るサイホン排水システムを示す側面図である。
【発明を実施するための形態】
【００２４】
［第１の実施形態］
図１にしたがって、本発明の第１の実施形態に係るサイホン排水システム１０について説明する。
【００２５】
本実施形態のサイホン排水システム１０は、例えば、集合住宅である建物のキッチン１２に設けられた例である。キッチン１２の床材１４は、スラブ１６の上に図示しない支持脚を介して配置されている。
床材１４の上には、台所設備１８が配置されており、台所設備１８は、排水がなされる第１の水廻り器具としての台所流し２０、及び第２の水廻り器具としての食洗機２２を備えている。
【００２６】
スラブ１６の上には、サイホン排水管２４の一部を構成する横引き管２６が配置されており、横引き管２６の下流側には、サイホン排水管２４の他の一部を構成する竪管２８が設けられている。横引き管２６は、台所流し２０からの排水を横方向に排出するものである。また、竪管２８は、横引き管２６からの排水を流下させることによりサイホン力を発生させるものである。なお、サイホン排水管２４は１本の管体で形成されており、横引き管２６と竪管２８とは継ぎ目無く連続している。また、竪管２８は、スラブ１６を貫通しており、竪管２８の下端は、合流継手３０を介して建物を上下に貫く立て管３２に接続されている。
【００２７】
台所流し２０は、封水３４を貯留する排水トラップ３６を備えている。排水トラップ３６の下流側は、配管３８を介して横引き管２６の上流側の端部に接続されている。
【００２８】
食洗機２２の排出口には、排水部材としての配管４０の一端側が接続されており、配管４０の他端側が横引き管２６の長手方向中間部に接続されている。なお、配管４０と横引き管２６との接続部分は合流部４２とされている。配管４０は、食洗機２２に接続されて食洗機２２からの排水を排出するものである。
【００２９】
配管４０の長手方向中間部には、空気タンク４４が設けられている。空気タンク４４は、ステンレススチール等の腐食し難い金属、合成樹脂等で形成されており、内部の圧力変動によって変形しない剛性、即ち、内部容積が変化しないタンク壁面の面外剛性を備えている。空気タンク４４に用いる材料は、例えば、サイホン排水管２４よりも硬い材料で形成することが好ましい。空気タンク４４は、排水が通過でき、かつ、内部に空気が貯留できれば良く、その形状は、立方体形状、円柱状形状、球形状等、特に問わない。本実施形態では、空気タンク４４の内部容積が、配管４０の内部容積よりも大きく設定されている。本実施形態では、配管４０が本発明の排水部材に相当し、空気タンク４４が本発明の正圧緩衝部に相当する。正圧緩衝部とは、第２の水廻り器具、本実施形態では食洗機２２から排水が排出された際に、排水方向下流側の空気の圧力上昇を緩衝する作用を有するものである。なお、正圧緩衝部は、空気の入る内部容積を有し、空気が貯留されたまま排水が通過できる構成であれば良く、圧力上昇を緩衝できるものであれば空気タンク４４以外のものであっても良い。正圧緩衝部に必要とされる内部容積は、具体的には、食洗機２２から排水が排出された際に、排水トラップ３６の破封を抑制することができる内部容積である。
【００３０】
ここで、横引き管２６の全長をＴ（ｃｍ）、横引き管２６の上流側の端部から合流部４２までの長さをｔ（ｃｍ）、配管４０の内部容積と空気タンク４４の内部容積とを合計した内部容積Ｖ（リットル）とした場合に、下記（１）式を満足するように、上記各部の長さ、及び内部容積を設定することが好ましい。
Ｖ（リットル）≧１５（リットル）−１４（リットル）×ｔ（ｃｍ）／Ｔ（ｃｍ）・・・（１）
【００３１】
（作用、効果）
次に、本実施形態のサイホン排水システム１０の作用、効果を説明する。
先ず、台所設備１８の台所流し２０から排水がなされると、排水は、排水トラップ３６、及び配管３８を介してサイホン排水管２４に流入する。竪管２８が排水で満たされると、竪管２８内の排水が重力により落下してサイホン力を発生する。横引き管２６内の排水は、サイホン力によって竪管２８に向かって吸引され、サイホン排水管２４内が排水で満たされる所謂満流となってサイホン排水管２４内を流下する。これにより、台所流し２０からの排水をサイホン排水管２４の下流側へ効率的に排出することができる。
【００３２】
一方、食洗機２２の排水は、配管４０、空気タンク４４、及び合流部４２を介して合流部４２よりも下流側のサイホン排水管２４に流入する。竪管２８が排水で満たされると、竪管２８内の排水が重力により落下してサイホン力を発生する。合流部４２よりも下流側の横引き管２６内の排水は、サイホン力によって竪管２８に向かって吸引され、サイホン排水管２４内が排水で満たされる所謂満流となってサイホン排水管２４内を流下する。これにより、食洗機２２からの排水をサイホン排水管２４の下流側へ効率的に排出することができる。
【００３３】
ところで、食洗機２２から排水が排出されると、配管４０内の空気が排水で押され、配管４０内、及び横引き管２６内の空気の圧力が上昇傾向となる。これは、サイホン排水管２４の径が従来の勾配配管と比較して細いために、横引き管２６内の空気が立て管３２側に流れる際の抵抗が大きくなることによる。なお、合流部４２よりも下流側の横引き管２６の内部に、管路を塞ぐように排水が部分的に溜まっている場合には、空気が立て管３２側に流れる際の抵抗が更に大きくなる。
【００３４】
ここで、合流部４２よりも台所流し２０側の横引き管２６内の圧力上昇が過大となると、排水トラップ３６の封水３４が台所流し２０側に押されて排水トラップ３６が破封する虞がある。
【００３５】
しかしながら、本実施形態のサイホン排水システム１０では、食洗機２２と合流部４２との間に空気タンク４４が設けられており、空気タンク４４の内部容積Ｖが（１）式を満足するように大きく設定されているので、空気タンク４４の中の空気がクッションの役目をして食洗機２２と合流部４２との間の圧力上昇が抑えられる。その結果、合流部４２と排水トラップ３６との間の過度の圧力上昇が抑えられ、排水トラップ３６の破封を抑制することができる。
【００３６】
因みに、本実施形態のサイホン排水システム１０においては、一例として、サイホン排水管２４、及び配管４０の呼び径を各々２０Ａ、竪管２８の長さＨを２００ｃｍ、横引き管２６の全長Ｔを３００ｃｍ、横引き管２６の上流側の端部から合流部４２までの長さｔを５０ｃｍ、配管４０の内部容積と空気タンク４４の内部容積とを合計した内部容積Ｖを１５リットルとしているが、（１）式が満足されれば各々の値は適宜変更可能である。
【００３７】
なお、式（１）は、上記サイホン排水システム１０にて、Ｖ、ｔ及びＴの関係を種々変更した実験により導かれたものである。式（１）は、排水トラップ３６の破封を抑制するために、配管４０の内部容積と空気タンク４４の内部容積とを合計した内部容積Ｖが少なくとも１リットルあることが好ましいことと、横引き管２６の上流側の端部から合流部４２までの長さｔが横引き管２６の全長Ｔに対して相対的に短くなることに対応して配管４０の内部容積と空気タンク４４の内部容積とを合計した内部容積Ｖを大きくする必要があるが、最大で１５リットルあれば十分であることを表している。
【００３８】
一般的な住居に用いられる排水トラップ３６においては、排水トラップ３６の下流側の圧力が、例えば、４００Ｐａを超えると排水トラップ３６が破封する虞がある。このため、食洗機２２から排水を行った際に、排水トラップ３６と合流部４２との間の空気の圧力が４００Ｐａを超えない様にすることが好ましく、前記式（１）を満足させることで排水トラップ３６と合流部４２との間の空気の圧力を４００Ｐａ以内とすることが可能となる。
【００３９】
本実施形態の空気タンク４４は、空気の圧力変動によって変形しないように構成されているため、高い耐久性を得ることができる。排水トラップ３６と合流部４２との間の空気の圧力が上昇するのを抑える効果は、空気タンク４４の内部容積が大きくなるほど上がる。なお、（１）式を満足するように内部容積Ｖを設定することが好ましいが、食洗機２２から排水が排出された際等に、排水トラップ３６の破封が抑制できるのであれば、必ずしも（１）式を満足する必要は無い。内部容積Ｖは、排水トラップ３６の種類、例えば、封水の量等や、食洗機２２からの単位時間当たりの排水量等によって種々変更されるものであり、本実施形態では、少なくとも食洗機２２から排水が排出された際に、排水トラップ３６が破封しない値に設定される。
【００４０】
［第２の実施形態］
次に、本発明の第２の実施形態に係るサイホン排水システム１０を図２にしたがって説明する。なお、第１の実施形態と同一構成には同一符号を付し、その説明は省略する。
【００４１】
図２に示すように、本実施形態のサイホン排水システム１０では、第１の実施形態の配管４０、及び空気タンク４４の代わりに、第１の実施形態の配管４０よりも長い排水管４６が用いられている。
【００４２】
本実施形態の排水管４６は、食洗機２２の側部から床材１４の上側で水平方向に延びる短尺の水平延出部４６Ａ、水平延出部４６Ａの先端から下方に延びて床材１４を貫通する第１の鉛直延出部４６Ｂ、床材１４とスラブ１６との間において第１の鉛直延出部４６Ｂの下端からスラブ１６に沿って水平方向に延びる正圧緩衝用延出部４６Ｃ、正圧緩衝用延出部４６Ｃの先端から下方に延びて横引き管２６に接続される第２の鉛直延出部４６Ｄを含んで構成されている。本実施形態では、排水管４６の正圧緩衝用延出部４６Ｃが本発明管体とされた正圧緩衝部に相当しており、水平延出部４６Ａ、第１の鉛直延出部４６Ｂ、及び第２の鉛直延出部４６Ｄが本発明の排水部材に相当している。
【００４３】
本実施形態では、横引き管２６の全長をＴ（ｃｍ）、横引き管２６の上流側の端部から合流部４２までの長さをｔ（ｃｍ）、排水管４６の内部容積をＶ（リットル）とした場合に、第１の実施形態と同様に、（１）式を満足するように、上記各部の長さ、及び排水管４６の内部容積が設定されている。本実施形態では、横引き管２６の上流側の端部から合流部４２までの長さｔが２５０ｃｍである。
【００４４】
本実施形態のサイホン排水システム１０では、食洗機２２と合流部４２との間の排水管４６が第１の実施形態の配管４０よりも長く、かつ太く設定されて内部容積が大きくなっており、排水管４６の内部容積Ｖが（１）式を満足するように設定されている。このため、横引き管２６と連通している内部容積の大きい排水管４６が、合流部４２から上流側の横引き管２６内の過度の圧力上昇を抑制し、排水トラップ３６の破封を抑制することができる。
【００４５】
本実施形態のサイホン排水システム１０では、排水管４６にサイホン排水管２４と同一内径の管体を用いており、しかも第１の実施形態で用いた空気タンク４４を必要としないので、第１の実施形態よりも部品点数が少なく、構造が簡素化されている。
なお、排水管４６の呼び径は、２０Ａに限らず、１６Ａ〜２５Ａのものを用いても良く、それ以外の呼び径のものを用いても良い。また、排水管４６の断面形状は円形に限らず、四角形等の円形以外の形状であっても良い。排水管４６の呼び径を小さくして排水管４６の全長を長くしても良く、排水管４６の呼び径を大きくして排水管４６の全長を短くすることもできる。
【００４６】
［第３の実施形態］
次に、本発明の第３の実施形態に係るサイホン排水システム１０を図３にしたがって説明する。なお、前述した実施形態と同一構成には同一符号を付し、その説明は省略する。
第２の実施形態では、排水管４６の正圧緩衝用延出部４６Ｃが横引き管２６に沿って直線状に配置されていたが、第３の実施形態に係るサイホン排水システム１０では、図３（Ａ）、（Ｂ）に示すように、正圧緩衝用延出部４６Ｃが渦巻状に形成されている。
【００４７】
本実施形態では、第２の実施形態と同じ長さの正圧緩衝用延出部４６Ｃが渦巻状に形成されおり、第２の実施形態と同様に正圧緩衝用延出部４６Ｃの内部容積を大きくとっているので、合流部４２から上流側の横引き管２６内の過度の圧力上昇を抑制し、排水トラップ３６の破封を抑制することができる。また、本実施形態の正圧緩衝用延出部４６Ｃは、渦巻状に形成しているため、直線状とした第２の実施形態の正圧緩衝用延出部４６Ｃに比較して設置する場所の長さを短くできる。なお、正圧緩衝用延出部４６Ｃは渦巻状部分を上下方向に複数段連結した構成としても良い。正圧緩衝用延出部４６Ｃは床材１４の上に配置しても良い。
【００４８】
［第４の実施形態］
次に、本発明の第４の実施形態に係るサイホン排水システム１０を図４にしたがって説明する。なお、前述した実施形態と同一構成には同一符号を付し、その説明は省略する。
第１の実施形態では、配管４０の長手方向中間部に空気タンク４４が設けられていたが、本実施形態では、空気タンク４４の底部に補助配管４８の一端が接続され、補助配管４８の他端が配管４０の長手方向中間部に接続されている。また、空気タンク４４は、配管４０よりも上方に配置されている。
【００４９】
本実施形態においても、第１の実施形態と同様に、合流部４２と排水トラップ３６との間の過度の圧力上昇が抑えられ、排水トラップ３６の破封を抑制することができる。
また、空気タンク４４と配管４０とを補助配管４８で連結しているので、補助配管４８を延ばすことで、配管４０の配置に影響されずに空気タンク４４を配置することができ、空気タンク４４の配置の自由度が増す。
さらに、本実施形態では、配管４０の上側に補助配管４８を配置し、その補助配管４８の上側に空気タンク４４を配置しており、空気タンク４４に排水が入り込み難くい構造としているので、空気タンク４４の容量の分の作用効果、即ち、過度の圧力上昇を抑える作用効果を得る確実性を高めることができる。
【００５０】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５１】
上記実施形態では、本発明の第１の水廻り器具に相当するものが台所流し２０、第２の水廻り器具に相当するものが食洗機２２であったが、本発明はこれに限らず、第１の水廻り器具に相当するものは台所流し２０以外のものであっても良く、第２の水廻り器具に相当するものが食洗機２２以外のものであっても良い。
【００５２】
第１の水廻り器具としては、一例として、洗面台等、排水トラップが設けられているものを挙げることができ、第２の水廻り器具としては、一例として、洗濯機、浴槽等を挙げることができる。
【００５３】
上記実施形態では、配管４０の内径、及び排水管４６の内径がサイホン排水管２４と同内径であったが、配管４０の内径、及び排水管４６の内径はサイホン排水管２４の内径と異なっていても良い。
【００５４】
上記第１の実施形態では、空気タンク４４が床材１４の上に配置されていたが、床材１４の下側、例えば、スラブ１６の上に配置されていても良い。
【００５５】
第２の実施形態では排水管４６が横引き管２６に沿って配置され、第３の実施形態では排水管４６が渦巻状に形成されていたが、排水管４６の全長が長く、内部容積Ｖを大きく取れるのであれば排水管４６の全体形状はジグザグ状等、他の形状であっても良い。
【００５６】
正圧緩衝部の具体的な構成は、上記実施形態の空気タンク４４、及び排水管４６に限らず、少なくとも食洗機２２から排水が排出された際に、排水トラップ３６が破封しない内部容積を有していれば形状は問わない。
また、サイホン排水管２４には、３以上の水廻り器具を接続しても良い。
【００５７】
［試験例］
本発明の効果を確かめるために、第１実施例のサイホン排水システム、第２実施例のサイホン排水システム、及び比較例のサイホン排水システムを試作し、排水トラップの破封の有無を評価した。なお、試験に用いた排水トラップは、下流側の空気の圧力が４００Ｐａを超えると破封を生じるものを用いた。
【００５８】
第１実施例：上記第１の実施形態のサイホン排水システムであり、横引き管２６の全長Ｔを３００ｃｍ、横引き管２６の上流側の端部から合流部４２までの長さｔを５０ｃｍ、空気タンク４４と配管４０との合計の内部容積Ｖを１５リットルとした。
第２実施例：上記第２の実施形態のサイホン排水システムの変形例であり、横引き管２６の全長Ｔを３００ｃｍ、横引き管２６の上流側の端部から合流部４２までの長さｔを２５０ｃｍ、排水管４６の内部容積Ｖを３．３リットルとした。
比較例：第１の実施形態から空気タンク４４を取り除いたものである。配管４０の内部容積Ｖは０．０９４リットルである。
【００５９】
試験の結果、比較例のサイホン排水システムでは、食洗機から排水を行った際に台所流しの排水トラップが破封したが、本発明の適用された第１実施例、及び第２実施例では、排水トラップは破封しなかった。
【符号の説明】
【００６０】
１０…サイホン排水システム、２０…台所流し（第１の水廻り器具）、２２…食洗機（第２の水廻り器具）、２６…横引き管、２８…竪管、４０…配管（排水部材）、４２…合流部、４４…空気タンク（正圧緩衝部）、４６…排水管（排水部材、管体、正圧緩衝部）、４６Ｃ…正圧緩衝用延出部
【図１】
2016216944.tif 000003
【図２】
2016216944.tif 000004
【図３】
2016216944.tif 000005
【図４】
2016216944.tif 000006